(57)【特許請求の範囲】
【請求項１】
ホストデバイスと、端末装置と、サーバと、代理接続装置と、ポータブルデバイスとを含むライセンス管理システムにおいて、
前記ホストデバイスが、
コンテンツと、自ホストデバイスのデバイス固有情報であるホスト側デバイス固有情報を含んだ前記コンテンツに対するライセンスキーと、前記コンテンツの再生を許可する他のデバイスのデバイス固有情報である再生許可対象デバイス固有情報と、コンテンツの購入を許可するポータブルデバイスのデバイス固有情報である購入許可対象デバイス固有情報とを管理し、前記サーバから再生許可要求が送られてきたとき、前記管理している再生許可対象デバイス固有情報の中に、前記再生許可要求に含まれている再生要求側デバイス固有情報と同一のデバイス固有情報が存在することを条件にして、前記サーバに対して再生許可情報を返信し、前記サーバからコンテンツ購入可否問い合わせが送られてきたとき、前記管理している購入許可対象デバイス固有情報の中に、前記コンテンツ購入可否問い合わせに含まれている購入要求側デバイス固有情報と同一のデバイス固有情報が存在することを条件にしてコンテンツ購入許可情報を前記サーバに返信すると共に、前記ポータブルデバイスのデバイス固有情報を含んだポータブルデバイス用ライセンスキーを前記サーバに返信する構成を有し、
前記端末装置が、
前記ホストデバイスに保持されているコンテンツ及びライセンスキーのコピーを保持すると共に、前記ライセンスキーのコピー中のホスト側デバイス固有情報と自装置のデバイス固有情報である再生要求側デバイス固有情報とを含んだ再生許可要求を前記サーバへ送信し、該再生許可要求に応答して前記サーバから再生許可情報が返信されてきたとき、前記コンテンツのコピーを再生する構成を有し、
前記代理接続装置が、
自装置に接続された前記ポータブルデバイスと前記サーバとをネットワークを介して接続する構成を有し、
前記ポータブルデバイスが、
購入対象にするコンテンツのコンテンツＩＤ、前記ホストデバイスのデバイス固有情報であるホスト側デバイス固有情報および自ポータブルデバイスのデバイス固有情報である購入要求側デバイス固有情報を含むコンテンツ購入要求を前記代理接続装置を介して前記サーバへ送信し、該コンテンツ購入要求に応答して前記サーバから送られてきたコンテンツ及びポータブルデバイス用ライセンスキーを対応付けて保持する構成を有し、
前記サーバが、
前記ホストデバイスのデバイス固有情報と前記ホストデバイスのアドレスとを対応付けて管理し、前記端末装置から再生許可要求が送られてきたとき、前記管理しているアドレスの内の、前記再生許可要求に含まれているホスト側デバイス固有情報と対応するアドレスに前記再生許可要求を送信し、前記ホストデバイスから再生許可情報が返信されてきたとき、該再生許可情報を前記端末装置に転送し、前記代理接続装置を介して前記ポータブルデバイスからコンテンツ購入要求が送られてきたとき、前記管理しているアドレスの内の、前記コンテンツ購入要求中のホスト側デバイス固有情報に対応するアドレスに対して、前記コンテンツ購入要求中の購入要求側デバイス固有情報を含んだコンテンツ購入可否問い合わせを送信し、該コンテンツ購入可否問い合わせに応答してコンテンツ購入許可情報が送られてきたとき、前記ホストデバイスのデバイス固有情報を含んだライセンスキー及び前記購入対象コンテンツを前記ホストデバイスに送信すると共に、前記購入対象コンテンツを前記ポータブルデバイスへ送信し、前記ホストデバイスからポータブルデバイス用ライセンスキーが送られてきたとき、該ポータブルデバイス用ライセンスキーを前記代理接続装置を介して前記ポータブルデバイスへ送信する構成を有することを特徴とするライセンス管理システム。
【請求項２】
請求項１記載のライセンス管理システムにおいて、
前記ホストデバイスが、
コンテンツ及び該コンテンツに対するライセンスキーが登録されたホスト側コンテンツ・ライセンスキー記憶部と、
再生許可対象デバイス固有情報が登録された再生許可管理表と、
購入許可対象デバイス固有情報が登録されたポータブルデバイス管理表と、
前記サーバから再生許可要求が送られてきたとき、前記再生許可管理表に登録されている再生許可対象デバイス固有情報の中に前記再生許可要求中の再生要求側デバイス固有情報と同一のデバイス固有情報が存在することを条件にして前記サーバに対して再生許可情報を送信する再生許可要求処理手段と、
前記サーバからコンテンツ購入可否問い合わせが送られてきたとき、前記ポータブルデバイス管理表に登録されている購入許可対象デバイス固有情報の中に、前記コンテンツ購入可否問い合わせ中の購入要求側デバイス固有情報と同一のデバイス固有情報が存在することを条件にして前記サーバに対してコンテンツ購入許可情報を送信すると共に、前記ポータブルデバイスのデバイス固有情報を含んだポータブルデバイス用ライセンスキーを前記サーバに対して送信するコンテンツ購入可否問い合わせ処理手段とを備え、
前記端末装置が、
前記ホスト側コンテンツ・ライセンスキー記憶部に登録されているコンテンツ及びライセンスキーのコピーが登録された端末側コンテンツ・ライセンスキー記憶部と、
該端末側コンテンツ・ライセンスキー記憶部に登録されているライセンスキー中のホスト側デバイス固有情報および自装置のデバイス固有情報である再生要求側デバイス固有情報を含んだ再生許可要求を前記サーバへ送信し、該再生許可要求に応答して前記サーバから再生許可情報が返信されてきたとき、前記コンテンツを再生する再生手段とを備え、
前記ポータブルデバイスが、
前記ホストデバイスのデバイス固有情報であるホスト側デバイス固有情報が登録されたホストデバイス管理表と、
コンテンツ及び該コンテンツに対するポータブルデバイス用ライセンスキーが登録されるポータブル側コンテンツ・ライセンスキー記憶部と、
購入対象にするコンテンツのコンテンツＩＤ、前記ホストデバイス管理表に登録されているホスト側デバイス固有情報および自ポータブルデバイスのデバイス固有情報である購入要求側デバイス固有情報を含んだコンテンツ購入要求を前記サーバへ送信し、該コンテンツ購入要求に応答して前記サーバから送られてきたコンテンツ及びポータブルデバイス用ライセンスキーを前記ポータブル側コンテンツ・ライセンスキー記憶部に登録するコンテンツ購入要求手段とを備え、
前記サーバが、
ホストデバイスのデバイス固有情報であるホスト側デバイス固有情報と前記ホストデバイスのアドレスとが対応付けて登録された利用者情報記憶部と、
前記端末装置から再生許可要求が送られてきたとき、該再生許可要求中のホスト側デバイス固有情報に対応するアドレスを前記利用者情報記憶部から検索して該検索したアドレスに前記再生許可要求を転送し、該再生許可要求に応答してホストデバイスから再生許可情報が返信されてきたとき、該再生許可情報を前記端末装置へ転送する再生許可要求処理手段と、
前記代理接続装置を介して前記ポータブルデバイスからコンテンツ購入要求が送られてきたとき、該コンテンツ購入要求中のホスト側デバイス固有情報に対応するアドレスを前記利用者情報記憶部から検索して該検索したアドレスに前記コンテンツ購入要求中の購入要求側デバイス固有情報を含んだコンテンツ購入可否問い合わせを送信し、該コンテンツ購入可否問い合わせに応答してコンテンツ購入許可情報が送られてきたとき、前記ホストデバイスのデバイス固有情報を含んだライセンスキー及び前記購入対象コンテンツを前記ホストデバイスに送信すると共に、前記購入対象コンテンツを前記代理接続装置を介して前記ポータブルデバイスへ送信し、前記ホストデバイスからポータブルデバイス用ライセンスキーが送られてきたとき、該ポータブルデバイス用ライセンスキーを前記代理接続装置を介して前記ポータブルデバイスへ送信するコンテンツ購入要求処理手段とを備えたことを特徴とするライセンス管理システム。
【請求項３】
ホストデバイスと、端末装置と、サーバと、代理接続装置と、ポータブルデバイスとを含み、
前記端末装置が、前記ホストデバイスに保持されているコンテンツ及びライセンスキーのコピーを保持すると共に、前記ライセンスキーのコピー中のホスト側デバイス固有情報と自装置のデバイス固有情報である再生要求側デバイス固有情報とを含んだ再生許可要求を前記サーバへ送信し、該再生許可要求に応答して前記サーバから再生許可情報が返信されてきたとき、前記コンテンツのコピーを再生する構成を有し、
前記代理接続装置が、自装置に接続された前記ポータブルデバイスと前記サーバとをネットワークを介して接続する構成を有し、
前記ポータブルデバイスが、購入対象にするコンテンツのコンテンツＩＤ、前記ホストデバイスのデバイス固有情報であるホスト側デバイス固有情報および自ポータブルデバイスのデバイス固有情報である購入要求側デバイス固有情報を含むコンテンツ購入要求を前記代理接続装置を介して前記サーバへ送信し、該コンテンツ購入要求に応答して前記サーバから送られてきたコンテンツ及びポータブルデバイス用ライセンスキーを対応付けて保持する構成を有し、
前記サーバが、前記ホストデバイスのデバイス固有情報と前記ホストデバイスのアドレスとを対応付けて管理し、前記端末装置から再生許可要求が送られてきたとき、前記管理しているアドレスの内の、前記再生許可要求に含まれているホスト側デバイス固有情報と対応するアドレスに前記再生許可要求を送信し、前記ホストデバイスから再生許可情報が返信されてきたとき、該再生許可情報を前記端末装置に転送し、前記代理接続装置を介して前記ポータブルデバイスからコンテンツ購入要求が送られてきたとき、前記管理しているアドレスの内の、前記コンテンツ購入要求中のホスト側デバイス固有情報に対応するアドレスに対して、前記コンテンツ購入要求中の購入要求側デバイス固有情報を含んだコンテンツ購入可否問い合わせを送信し、該コンテンツ購入可否問い合わせに応答してコンテンツ購入許可情報が送られてきたとき、前記ホストデバイスのデバイス固有情報を含んだライセンスキー及び前記購入対象コンテンツを前記ホストデバイスに送信すると共に、前記購入対象コンテンツを前記ポータブルデバイスへ送信し、前記ホストデバイスからポータブルデバイス用ライセンスキーが送られてきたとき、該ポータブルデバイス用ライセンスキーを前記代理接続装置を介して前記ポータブルデバイスへ送信する構成を有するライセンス管理システムの構成要素であるホストデバイスであって、
コンテンツと、自ホストデバイスのデバイス固有情報であるホスト側デバイス固有情報を含んだ前記コンテンツに対するライセンスキーと、前記コンテンツの再生を許可する他のデバイスのデバイス固有情報である再生許可対象デバイス固有情報と、コンテンツの購入を許可するポータブルデバイスのデバイス固有情報である購入許可対象デバイス固有情報とを管理し、前記サーバから再生許可要求が送られてきたとき、前記管理している再生許可対象デバイス固有情報の中に、前記再生許可要求に含まれている再生要求側デバイス固有情報と同一のデバイス固有情報が存在することを条件にして、前記サーバに対して再生許可情報を返信し、前記サーバからコンテンツ購入可否問い合わせが送られてきたとき、前記管理している購入許可対象デバイス固有情報の中に、前記コンテンツ購入可否問い合わせに含まれている購入要求側デバイス固有情報と同一のデバイス固有情報が存在することを条件にしてコンテンツ購入許可情報を前記サーバに返信すると共に、前記ポータブルデバイスのデバイス固有情報を含んだポータブルデバイス用ライセンスキーを前記サーバに返信する構成を有することを特徴とするホストデバイス。
【請求項４】
請求項３記載のホストデバイスにおいて、
コンテンツ及び該コンテンツに対するライセンスキーが登録されたホスト側コンテンツ・ライセンスキー記憶部と、
再生許可対象デバイス固有情報が登録された再生許可管理表と、
購入許可対象デバイス固有情報が登録されたポータブルデバイス管理表と、
前記サーバから再生許可要求が送られてきたとき、前記再生許可管理表に登録されている再生許可対象デバイス固有情報の中に前記再生許可要求中の再生要求側デバイス固有情報と同一のデバイス固有情報が存在することを条件にして前記サーバに対して再生許可情報を送信する再生許可要求処理手段と、
前記サーバからコンテンツ購入可否問い合わせが送られてきたとき、前記ポータブルデバイス管理表に登録されている購入許可対象デバイス固有情報の中に、前記コンテンツ購入可否問い合わせ中の購入要求側デバイス固有情報と同一のデバイス固有情報が存在することを条件にして前記サーバに対してコンテンツ購入許可情報を送信すると共に、前記ポータブルデバイスのデバイス固有情報を含んだポータブルデバイス用ライセンスキーを前記サーバに対して送信するコンテンツ購入可否問い合わせ処理手段とを備えたことを特徴とするホストデバイス。
【請求項５】
ホストデバイスと、端末装置と、サーバと、代理接続装置と、ポータブルデバイスとを含むライセンス管理システムにおけるライセンス管理方法であって、
前記ホストデバイスが、コンテンツと、自ホストデバイスのデバイス固有情報であるホスト側デバイス固有情報を含んだ前記コンテンツに対するライセンスキーと、前記コンテンツの再生を許可する他のデバイスのデバイス固有情報である再生許可対象デバイス固有情報と、コンテンツの購入を許可するポータブルデバイスのデバイス固有情報である購入許可対象デバイス固有情報とを管理し、
前記サーバが、前記ホストデバイスのデバイス固有情報と前記ホストデバイスのアドレスとを対応付けて管理し、
前記端末装置が、前記ホストデバイスに保持されているコンテンツ及びライセンスキーのコピーを保持すると共に、前記ライセンスキーのコピー中のホスト側デバイス固有情報と自装置のデバイス固有情報である再生要求側デバイス固有情報とを含んだ再生許可要求を前記サーバへ送信し、
前記サーバが、前記端末装置から再生許可要求が送られてきたとき、前記管理しているアドレスの内の、前記再生許可要求に含まれているホスト側デバイス固有情報と対応するアドレスに前記再生許可要求を送信し、
前記ホストデバイスが、前記サーバから再生許可要求が送られてきたとき、前記管理している再生許可対象デバイス固有情報の中に、前記再生許可要求に含まれている再生要求側デバイス固有情報と同一のデバイス固有情報が存在することを条件にして、前記サーバに対して再生許可情報を返信し、
前記サーバが、前記ホストデバイスから再生許可情報が返信されてきたとき、該再生許可情報を前記端末装置に転送し、
前記端末装置が、前記再生許可要求に応答して前記サーバから再生許可情報が返信されてきたとき、前記コンテンツのコピーを再生し、
ポータブルデバイスが、購入対象にするコンテンツのコンテンツＩＤ、前記ホストデバイスのデバイス固有情報であるホスト側デバイス固有情報および自ポータブルデバイスのデバイス固有情報である購入要求側デバイス固有情報を含むコンテンツ購入要求を代理接続装置を介してサーバへ送信し、
前記サーバが、前記代理接続装置を介して前記ポータブルデバイスからコンテンツ購入要求が送られてきたとき、前記管理しているアドレスの内の、前記コンテンツ購入要求中のホスト側デバイス固有情報に対応するアドレスに対して、前記コンテンツ購入要求中の購入要求側デバイス固有情報を含んだコンテンツ購入可否問い合わせを送信し、
前記ホストデバイスが、前記サーバからコンテンツ購入可否問い合わせが送られてきたとき、前記管理している購入許可対象デバイス固有情報の中に、前記コンテンツ購入可否問い合わせに含まれている購入要求側デバイス固有情報と同一のデバイス固有情報が存在することを条件にしてコンテンツ購入許可情報を前記サーバ返信すると共に前記ポータブルデバイスのデバイス固有情報を含んだポータブルデバイス用ライセンスキーを前記サーバに返信し、
前記サーバが、前記コンテンツ購入可否問い合わせに応答してコンテンツ購入許可情報が送られてきたとき、前記ホストデバイスのデバイス固有情報を含んだライセンスキー及び前記購入対象コンテンツを前記ホストデバイスに送信すると共に、前記購入対象コンテンツを前記ポータブルデバイスへ送信し、前記ホストデバイスからポータブルデバイス用ライセンスキーが送られてきたとき、該ポータブルデバイス用ライセンスキーを前記代理接続装置を介して前記ポータブルデバイスへ送信し、
前記ポータブルデバイスが、コンテンツ購入要求に応答して前記サーバから送られてきたコンテンツ及びポータブルデバイス用ライセンスキーを対応付けて保持することを特徴とするライセンス管理方法。
【請求項６】
コンテンツ及びホストデバイスのデバイス固有情報であるホスト側デバイス固有情報を含んだ前記コンテンツに対するライセンスキーが登録されたホスト側コンテンツ・ライセンスキー記憶部と、前記コンテンツの再生を許可するデバイスのデバイス固有情報である再生許可対象デバイス固有情報が登録された再生許可管理表と、コンテンツの購入を許可するポータブルデバイスのデバイス固有情報である購入許可対象デバイス固有情報が登録されたポータブルデバイス管理表とを備えたコンピュータを、
ホストデバイスと、端末装置と、サーバと、代理接続装置と、ポータブルデバイスとを含み、
前記端末装置が、
前記ホスト側コンテンツ・ライセンスキー記憶部に登録されているコンテンツ及びライセンスキーのコピーが登録された端末側コンテンツ・ライセンスキー記憶部と、
該端末側コンテンツ・ライセンスキー記憶部に登録されているライセンスキー中のホスト側デバイス固有情報および自装置のデバイス固有情報である再生要求側デバイス固有情報を含んだ再生許可要求を前記サーバへ送信し、該再生許可要求に応答して前記サーバから再生許可情報が返信されてきたとき、前記コンテンツを再生する再生手段とを備え、
前記代理接続装置が、自装置に接続された前記ポータブルデバイスと前記サーバとをネットワークを介して接続する構成を有し、
前記ポータブルデバイスが、
前記ホストデバイスのデバイス固有情報であるホスト側デバイス固有情報が登録されたホストデバイス管理表と、
コンテンツ及び該コンテンツに対するポータブルデバイス用ライセンスキーが登録されるポータブル側コンテンツ・ライセンスキー記憶部と、
購入対象にするコンテンツのコンテンツＩＤ、前記ホストデバイス管理表に登録されているホスト側デバイス固有情報および自ポータブルデバイスのデバイス固有情報である購入要求側デバイス固有情報を含んだコンテンツ購入要求を前記サーバへ送信し、該コンテンツ購入要求に応答して前記サーバから送られてきたコンテンツ及びポータブルデバイス用ライセンスキーを前記ポータブル側コンテンツ・ライセンスキー記憶部に登録するコンテンツ購入要求手段とを備え、
前記サーバが、
ホストデバイスのデバイス固有情報であるホスト側デバイス固有情報と前記ホストデバイスのアドレスとが対応付けて登録された利用者情報記憶部と、
前記端末装置から再生許可要求が送られてきたとき、該再生許可要求中のホスト側デバイス固有情報に対応するアドレスを前記利用者情報記憶部から検索して該検索したアドレスに前記再生許可要求を転送し、該再生許可要求に応答してホストデバイスから再生許可情報が返信されてきたとき、該再生許可情報を前記端末装置へ転送する再生許可要求処理手段と、
前記代理接続装置を介して前記ポータブルデバイスからコンテンツ購入要求が送られてきたとき、該コンテンツ購入要求中のホスト側デバイス固有情報に対応するアドレスを前記利用者情報記憶部から検索して該検索したアドレスに前記コンテンツ購入要求中の購入要求側デバイス固有情報を含んだコンテンツ購入可否問い合わせを送信し、該コンテンツ購入可否問い合わせに応答してコンテンツ購入許可情報が送られてきたとき、前記ホストデバイスのデバイス固有情報を含んだライセンスキー及び前記購入対象コンテンツを前記ホストデバイスに送信すると共に、前記購入対象コンテンツを前記代理接続装置を介して前記ポータブルデバイスへ送信し、前記ホストデバイスからポータブルデバイス用ライセンスキーが送られてきたとき、該ポータブルデバイス用ライセンスキーを前記代理接続装置を介して前記ポータブルデバイスへ送信するコンテンツ購入要求処理手段とを備えるライセンス管理システムの構成要素であるホストデバイスとして機能させるためのプログラムであって、
前記コンピュータを、
前記サーバから再生許可要求が送られてきたとき、前記再生許可管理表に登録されている再生許可対象デバイス固有情報の中に前記再生許可要求中の再生要求側デバイス固有情報と同一のデバイス固有情報が存在することを条件にして前記サーバに対して再生許可情報を送信する再生許可要求処理手段、
前記サーバからコンテンツ購入可否問い合わせが送られてきたとき、前記ポータブルデバイス管理表に登録されている購入許可対象デバイス固有情報の中に、前記コンテンツ購入可否問い合わせ中の購入要求側デバイス固有情報と同一のデバイス固有情報が存在していることを条件にして前記サーバに対してコンテンツ購入許可情報を送信すると共に、前記ポータブルデバイスのデバイス固有情報を含んだポータブルデバイス用ライセンスキーを前記サーバに対して送信するコンテンツ購入可否問い合わせ処理手段として機能させるためのプログラム。
【発明の詳細な説明】
【技術分野】
【０００１】
本発明は、ライセンス対象デバイスのデバイス固有情報を含んだライセンスキーを利用してデジタルコンテンツの不正利用を防止するライセンス管理技術に関し、特に、デジタルコンテンツを正規に購入したユーザが指定するデバイスであれば、ライセンス対象デバイス以外のデバイスでもデジタルコンテンツの再生を可能にするライセンス管理技術に関する。
【背景技術】
【０００２】
従来からライセンス対象デバイスのデバイス固有情報を含んだライセンスキーを利用してデジタルコンテンツ（単に、コンテンツという場合もある）の不正利用を防止するということが行われている。
【０００３】
ライセンスキーは、例えば、コンテンツの購入時に、コンテンツプロバイダからユーザのデバイス（ライセンス対象デバイス）に、購入したコンテンツと共にダウンロードされ、デバイス内に保存される。デバイス上で動作する再生手段（メディアプレイヤ等）は、コンテンツの再生が指示された場合、ライセンスキーに埋め込まれているデバイス固有情報と、デバイスのデバイス固有情報保持部に保持されているデバイス固有情報とを比較し、両者が一致した場合は、コンテンツを再生し、両者が不一致の場合は、コンテンツの再生を拒否する。
【０００４】
従って、ライセンス対象デバイスにおいては、ライセンスキー中のデバイス固有情報とデバイス固有情報保持部に保持されているデバイス固有情報とが一致するので、コンテンツを再生することができる。しかし、ライセンス対象デバイス以外のデバイスに、コンテンツとライセンスキーとの対をコピーした場合は、ライセンスキー中のデバイス固有情報とデバイス固有情報保持部に保持されているデバイス固有情報とが不一致となるので、コンテンツを再生することはできない。このように、デバイス固有情報を含むライセンスキーを利用することにより、ライセンス対象デバイス以外でのコンテンツの再生を防止することができる。
【０００５】
しかし、このようにすると、正規にコンテンツを購入したユーザであっても、ユーザが所有するデバイスの内の、ライセンス対象デバイスでしかコンテンツを再生することができず、他のデバイスでは、コンテンツを再生することができなくなってしまう。つまり、ＣＤやＤＶＤやビデオ等と比較して、デジタルコンテンツは、購入後の再生環境が著しく限定されるという問題があった。
【０００６】
そこで、このような問題を解決するため、従来、次のような技術が提案された（例えば、特許文献１参照）。この特許文献１に記載されている技術では、図２６に示すように、ユーザが所有している複数台のデバイスＤ１〜Ｄ３でコンテンツの再生を可能にするため、ライセンス対象デバイスであるデバイスＤ１に、コンテンツの利用を許可するデバイスＤ２，Ｄ３のデバイス固有情報ｄ２，ｄ３を登録し、デバイスＤ２，Ｄ３にライセンス対象デバイスＤ１のアドレスＡｄ１を登録しておく。なお、各デバイスＤ１〜Ｄ３は、ＬＡＮ等により相互に接続されている。
【０００７】
そして、デバイスＤ１以外のデバイス（例えば、デバイスＤ２）で、コピーしたコンテンツを再生する場合、デバイスＤ２は自身のデバイス固有情報ｄ２を含む再生許可要求を、保持しているアドレスＡｄ１に従って、デバイスＤ１へ送信する。デバイスＤ１は、デバイス固有情報ｄ２を含む再生許可要求が送られてくると、コンテンツの利用を許可するデバイスのデバイス固有情報として、デバイス固有情報ｄ２を保持しているか否かを調べる。この例の場合、保持しているので、デバイスＤ１は、要求元のデバイスＤ２に対してコンテンツの再生許可を与え、デバイスＤ２は再生許可が与えられると、コピーしてあるコンテンツを再生する。
【特許文献１】特開２００１−６７３３２号公報
【発明の開示】
【発明が解決しようとする課題】
【０００８】
上述した従来の技術によれば、ライセンス対象デバイス以外のデバイスであっても、コンテンツを正規に購入したユーザが指定したデバイスであれば、コンテンツを再生することが可能になる。しかし、上記した特許文献１に記載されている従来の技術では、ユーザが、ライセンス対象デバイスＤ１にコンテンツの再生を許可するデバイスＤ２，Ｄ３のデバイス固有情報ｄ２，ｄ３を設定するだけではなく、コンテンツの再生を許可する各デバイスＤ２，Ｄ３にライセンス対象デバイスＤ１のアドレスを設定する必要があるため、ユーザが行う設定作業が面倒なものになるという問題がある。特に、コンテンツの再生を許可するデバイス数が多い場合、ユーザの負担は大きなものになる。
【０００９】
そこで、本発明の目的は、ユーザに余り負担をかけることなく、ユーザが指定したデバイスであれば、ライセンス対象デバイス以外のデバイスでもコンテンツを再生できるようにすることにある。
【課題を解決するための手段】
【００１０】
本発明にかかる第１のライセンス管理システムは、
ホストデバイスと、端末装置と、サーバと、代理接続装置と、ポータブルデバイスとを含むライセンス管理システムにおいて、
前記ホストデバイスが、
コンテンツと、自ホストデバイスのデバイス固有情報であるホスト側デバイス固有情報を含んだ前記コンテンツに対するライセンスキーと、前記コンテンツの再生を許可する他のデバイスのデバイス固有情報である再生許可対象デバイス固有情報と、コンテンツの購入を許可するポータブルデバイスのデバイス固有情報である購入許可対象デバイス固有情報とを管理し、前記サーバから再生許可要求が送られてきたとき、前記管理している再生許可対象デバイス固有情報の中に、前記再生許可要求に含まれている再生要求側デバイス固有情報と同一のデバイス固有情報が存在することを条件にして、前記サーバに対して再生許可情報を返信し、前記サーバからコンテンツ購入可否問い合わせが送られてきたとき、前記管理している購入許可対象デバイス固有情報の中に、前記コンテンツ購入可否問い合わせに含まれている購入要求側デバイス固有情報と同一のデバイス固有情報が存在することを条件にしてコンテンツ購入許可情報を前記サーバに返信すると共に、前記ポータブルデバイスのデバイス固有情報を含んだポータブルデバイス用ライセンスキーを前記サーバに返信する構成を有し、
前記端末装置が、
前記ホストデバイスに保持されているコンテンツ及びライセンスキーのコピーを保持すると共に、前記ライセンスキーのコピー中のホスト側デバイス固有情報と自装置のデバイス固有情報である再生要求側デバイス固有情報とを含んだ再生許可要求を前記サーバへ送信し、該再生許可要求に応答して前記サーバから再生許可情報が返信されてきたとき、前記コンテンツのコピーを再生する構成を有し、
前記代理接続装置が、
自装置に接続された前記ポータブルデバイスと前記サーバとをネットワークを介して接続する構成を有し、
前記ポータブルデバイスが、
購入対象にするコンテンツのコンテンツＩＤ、前記ホストデバイスのデバイス固有情報であるホスト側デバイス固有情報および自ポータブルデバイスのデバイス固有情報である購入要求側デバイス固有情報を含むコンテンツ購入要求を前記代理接続装置を介して前記サーバへ送信し、該コンテンツ購入要求に応答して前記サーバから送られてきたコンテンツ及びポータブルデバイス用ライセンスキーを対応付けて保持する構成を有し、
前記サーバが、
前記ホストデバイスのデバイス固有情報と前記ホストデバイスのアドレスとを対応付けて管理し、前記端末装置から再生許可要求が送られてきたとき、前記管理しているアドレスの内の、前記再生許可要求に含まれているホスト側デバイス固有情報と対応するアドレスに前記再生許可要求を送信し、前記ホストデバイスから再生許可情報が返信されてきたとき、該再生許可情報を前記端末装置に転送し、前記代理接続装置を介して前記ポータブルデバイスからコンテンツ購入要求が送られてきたとき、前記管理しているアドレスの内の、前記コンテンツ購入要求中のホスト側デバイス固有情報に対応するアドレスに対して、前記コンテンツ購入要求中の購入要求側デバイス固有情報を含んだコンテンツ購入可否問い合わせを送信し、該コンテンツ購入可否問い合わせに応答してコンテンツ購入許可情報が送られてきたとき、前記ホストデバイスのデバイス固有情報を含んだライセンスキー及び前記購入対象コンテンツを前記ホストデバイスに送信すると共に、前記購入対象コンテンツを前記ポータブルデバイスへ送信し、前記ホストデバイスからポータブルデバイス用ライセンスキーが送られてきたとき、該ポータブルデバイス用ライセンスキーを前記代理接続装置を介して前記ポータブルデバイスへ送信する構成を有することを特徴とする。
【００１１】
本発明にかかる第２のライセンス管理システムは、第１のライセンス管理システムにおいて、
前記ホストデバイスが、
コンテンツ及び該コンテンツに対するライセンスキーが登録されたホスト側コンテンツ・ライセンスキー記憶部と、
再生許可対象デバイス固有情報が登録された再生許可管理表と、
購入許可対象デバイス固有情報が登録されたポータブルデバイス管理表と、
前記サーバから再生許可要求が送られてきたとき、前記再生許可管理表に登録されている再生許可対象デバイス固有情報の中に前記再生許可要求中の再生要求側デバイス固有情報と同一のデバイス固有情報が存在することを条件にして前記サーバに対して再生許可情報を送信する再生許可要求処理手段と、
前記サーバからコンテンツ購入可否問い合わせが送られてきたとき、前記ポータブルデバイス管理表に登録されている購入許可対象デバイス固有情報の中に、前記コンテンツ購入可否問い合わせ中の購入要求側デバイス固有情報と同一のデバイス固有情報が存在することを条件にして前記サーバに対してコンテンツ購入許可情報を送信すると共に、前記ポータブルデバイスのデバイス固有情報を含んだポータブルデバイス用ライセンスキーを前記サーバに対して送信するコンテンツ購入可否問い合わせ処理手段とを備え、
前記端末装置が、
前記ホスト側コンテンツ・ライセンスキー記憶部に登録されているコンテンツ及びライセンスキーのコピーが登録された端末側コンテンツ・ライセンスキー記憶部と、
該端末側コンテンツ・ライセンスキー記憶部に登録されているライセンスキー中のホスト側デバイス固有情報および自端末装置のデバイス固有情報である再生要求側デバイス固有情報を含んだ再生許可要求を前記サーバへ送信し、該再生許可要求に応答して前記サーバから再生許可情報が返信されてきたとき、前記コンテンツを再生する再生手段とを備え、
前記ポータブルデバイスが、
前記ホストデバイスのデバイス固有情報であるホスト側デバイス固有情報が登録されたホストデバイス管理表と、
コンテンツ及び該コンテンツに対するポータブルデバイス用ライセンスキーが登録されるポータブル側コンテンツ・ライセンスキー記憶部と、
購入対象にするコンテンツのコンテンツＩＤ、前記ホストデバイス管理表に登録されているホスト側デバイス固有情報および自ポータブルデバイスのデバイス固有情報である購入要求側デバイス固有情報を含んだコンテンツ購入要求を前記サーバへ送信し、該コンテンツ購入要求に応答して前記サーバから送られてきたコンテンツ及びポータブルデバイス用ライセンスキーを前記ポータブル側コンテンツ・ライセンスキー記憶部に登録するコンテンツ購入要求手段とを備え、
前記サーバが、
ホストデバイスのデバイス固有情報であるホスト側デバイス固有情報と前記ホストデバイスのアドレスとが対応付けて登録された利用者情報記憶部と、
前記端末装置から再生許可要求が送られてきたとき、該再生許可要求中のホスト側デバイス固有情報に対応するアドレスを前記利用者情報記憶部から検索して該検索したアドレスに前記再生許可要求を転送し、該再生許可要求に応答してホストデバイスから再生許可情報が返信されてきたとき、該再生許可情報を前記端末装置へ転送する再生許可要求処理手段と、
前記代理接続装置を介して前記ポータブルデバイスからコンテンツ購入要求が送られてきたとき、該コンテンツ購入要求中のホスト側デバイス固有情報に対応するアドレスを前記利用者情報記憶部から検索して該検索したアドレスに前記コンテンツ購入要求中の購入要求側デバイス固有情報を含んだコンテンツ購入可否問い合わせを送信し、該コンテンツ購入可否問い合わせに応答してコンテンツ購入許可情報が送られてきたとき、前記ホストデバイスのデバイス固有情報を含んだライセンスキー及び前記購入対象コンテンツを前記ホストデバイスに送信すると共に、前記購入対象コンテンツを前記代理接続装置を介して前記ポータブルデバイスへ送信し、前記ホストデバイスからポータブルデバイス用ライセンスキーが送られてきたとき、該ポータブルデバイス用ライセンスキーを前記代理接続装置を介して前記ポータブルデバイスへ送信するコンテンツ購入要求処理手段とを備えたことを特徴とする。
【００１２】
本発明にかかる第１のホストデバイスは、
ホストデバイスと、端末装置と、サーバと、代理接続装置と、ポータブルデバイスとを含み、
前記端末装置が、前記ホストデバイスに保持されているコンテンツ及びライセンスキーのコピーを保持すると共に、前記ライセンスキーのコピー中のホスト側デバイス固有情報と自装置のデバイス固有情報である再生要求側デバイス固有情報とを含んだ再生許可要求を前記サーバへ送信し、該再生許可要求に応答して前記サーバから再生許可情報が返信されてきたとき、前記コンテンツのコピーを再生する構成を有し、
前記代理接続装置が、自装置に接続された前記ポータブルデバイスと前記サーバとをネットワークを介して接続する構成を有し、
前記ポータブルデバイスが、購入対象にするコンテンツのコンテンツＩＤ、前記ホストデバイスのデバイス固有情報であるホスト側デバイス固有情報および自ポータブルデバイスのデバイス固有情報である購入要求側デバイス固有情報を含むコンテンツ購入要求を前記代理接続装置を介して前記サーバへ送信し、該コンテンツ購入要求に応答して前記サーバから送られてきたコンテンツ及びポータブルデバイス用ライセンスキーを対応付けて保持する構成を有し、
前記サーバが、前記ホストデバイスのデバイス固有情報と前記ホストデバイスのアドレスとを対応付けて管理し、前記端末装置から再生許可要求が送られてきたとき、前記管理しているアドレスの内の、前記再生許可要求に含まれているホスト側デバイス固有情報と対応するアドレスに前記再生許可要求を送信し、前記ホストデバイスから再生許可情報が返信されてきたとき、該再生許可情報を前記端末装置に転送し、前記代理接続装置を介して前記ポータブルデバイスからコンテンツ購入要求が送られてきたとき、前記管理しているアドレスの内の、前記コンテンツ購入要求中のホスト側デバイス固有情報に対応するアドレスに対して、前記コンテンツ購入要求中の購入要求側デバイス固有情報を含んだコンテンツ購入可否問い合わせを送信し、該コンテンツ購入可否問い合わせに応答してコンテンツ購入許可情報が送られてきたとき、前記ホストデバイスのデバイス固有情報を含んだライセンスキー及び前記購入対象コンテンツを前記ホストデバイスに送信すると共に、前記購入対象コンテンツを前記ポータブルデバイスへ送信し、前記ホストデバイスからポータブルデバイス用ライセンスキーが送られてきたとき、該ポータブルデバイス用ライセンスキーを前記代理接続装置を介して前記ポータブルデバイスへ送信する構成を有するライセンス管理システムの構成要素であるホストデバイスであって、
コンテンツと、自ホストデバイスのデバイス固有情報であるホスト側デバイス固有情報を含んだ前記コンテンツに対するライセンスキーと、前記コンテンツの再生を許可する他のデバイスのデバイス固有情報である再生許可対象デバイス固有情報と、コンテンツの購入を許可するポータブルデバイスのデバイス固有情報である購入許可対象デバイス固有情報とを管理し、前記サーバから再生許可要求が送られてきたとき、前記管理している再生許可対象デバイス固有情報の中に、前記再生許可要求に含まれている再生要求側デバイス固有情報と同一のデバイス固有情報が存在することを条件にして、前記サーバに対して再生許可情報を返信し、前記サーバからコンテンツ購入可否問い合わせが送られてきたとき、前記管理している購入許可対象デバイス固有情報の中に、前記コンテンツ購入可否問い合わせに含まれている購入要求側デバイス固有情報と同一のデバイス固有情報が存在することを条件にしてコンテンツ購入許可情報を前記サーバに返信すると共に、前記ポータブルデバイスのデバイス固有情報を含んだポータブルデバイス用ライセンスキーを前記サーバに返信する構成を有することを特徴とする。
【００１３】
本発明にかかる第２のホストデバイスは、第１のホストデバイスにおいて、
コンテンツ及び該コンテンツに対するライセンスキーが登録されたホスト側コンテンツ・ライセンスキー記憶部と、
再生許可対象デバイス固有情報が登録された再生許可管理表と、
購入許可対象デバイス固有情報が登録されたポータブルデバイス管理表と、
前記サーバから再生許可要求が送られてきたとき、前記再生許可管理表に登録されている再生許可対象デバイス固有情報の中に前記再生許可要求中の再生要求側デバイス固有情報と同一のデバイス固有情報が存在することを条件にして前記サーバに対して再生許可情報を送信する再生許可要求処理手段と、
前記サーバからコンテンツ購入可否問い合わせが送られてきたとき、前記ポータブルデバイス管理表に登録されている購入許可対象デバイス固有情報の中に、前記コンテンツ購入可否問い合わせ中の購入要求側デバイス固有情報と同一のデバイス固有情報が存在することを条件にして前記サーバに対してコンテンツ購入許可情報を送信すると共に、前記ポータブルデバイスのデバイス固有情報を含んだポータブルデバイス用ライセンスキーを前記サーバに対して送信するコンテンツ購入可否問い合わせ処理手段とを備えたことを特徴とする。
【００１４】
本発明にかかるライセンス管理方法は、
ホストデバイスと、端末装置と、サーバと、代理接続装置と、ポータブルデバイスとを含むライセンス管理システムにおけるライセンス管理方法であって、
前記ホストデバイスが、コンテンツと、自ホストデバイスのデバイス固有情報であるホスト側デバイス固有情報を含んだ前記コンテンツに対するライセンスキーと、前記コンテンツの再生を許可する他のデバイスのデバイス固有情報である再生許可対象デバイス固有情報と、コンテンツの購入を許可するポータブルデバイスのデバイス固有情報である購入許可対象デバイス固有情報とを管理し、
前記サーバが、前記ホストデバイスのデバイス固有情報と前記ホストデバイスのアドレスとを対応付けて管理し、
前記端末装置が、前記ホストデバイスに保持されているコンテンツ及びライセンスキーのコピーを保持すると共に、前記ライセンスキーのコピー中のホスト側デバイス固有情報と自装置のデバイス固有情報である再生要求側デバイス固有情報とを含んだ再生許可要求を前記サーバへ送信し、
前記サーバが、前記端末装置から再生許可要求が送られてきたとき、前記管理しているアドレスの内の、前記再生許可要求に含まれているホスト側デバイス固有情報と対応するアドレスに前記再生許可要求を送信し、
前記ホストデバイスが、前記サーバから再生許可要求が送られてきたとき、前記管理している再生許可対象デバイス固有情報の中に、前記再生許可要求に含まれている再生要求側デバイス固有情報と同一のデバイス固有情報が存在することを条件にして、前記サーバに対して再生許可情報を返信し、
前記サーバが、前記ホストデバイスから再生許可情報が返信されてきたとき、該再生許可情報を前記端末装置に転送し、
前記端末装置が、前記再生許可要求に応答して前記サーバから再生許可情報が返信されてきたとき、前記コンテンツのコピーを再生し、
ポータブルデバイスが、購入対象にするコンテンツのコンテンツＩＤ、前記ホストデバイスのデバイス固有情報であるホスト側デバイス固有情報および自ポータブルデバイスのデバイス固有情報である購入要求側デバイス固有情報を含むコンテンツ購入要求を代理接続装置を介してサーバへ送信し、
前記サーバが、前記代理接続装置を介して前記ポータブルデバイスからコンテンツ購入要求が送られてきたとき、前記管理しているアドレスの内の、前記コンテンツ購入要求中のホスト側デバイス固有情報に対応するアドレスに対して、前記コンテンツ購入要求中の購入要求側デバイス固有情報を含んだコンテンツ購入可否問い合わせを送信し、
前記ホストデバイスが、前記サーバからコンテンツ購入可否問い合わせが送られてきたとき、前記管理している購入許可対象デバイス固有情報の中に、前記コンテンツ購入可否問い合わせに含まれている購入要求側デバイス固有情報と同一のデバイス固有情報が存在することを条件にしてコンテンツ購入許可情報を前記サーバ返信すると共に前記ポータブルデバイスのデバイス固有情報を含んだポータブルデバイス用ライセンスキーを前記サーバに返信し、
前記サーバが、前記コンテンツ購入可否問い合わせに応答してコンテンツ購入許可情報が送られてきたとき、前記ホストデバイスのデバイス固有情報を含んだライセンスキー及び前記購入対象コンテンツを前記ホストデバイスに送信すると共に、前記購入対象コンテンツを前記ポータブルデバイスへ送信し、前記ホストデバイスからポータブルデバイス用ライセンスキーが送られてきたとき、該ポータブルデバイス用ライセンスキーを前記代理接続装置を介して前記ポータブルデバイスへ送信し、
前記ポータブルデバイスが、コンテンツ購入要求に応答して前記サーバから送られてきたコンテンツ及びポータブルデバイス用ライセンスキーを対応付けて保持することを特徴とする。
【００１５】
本発明にかかるプログラムは、
コンテンツ及び該コンテンツに対するライセンスキーが登録されたホスト側コンテンツ・ライセンスキー記憶部と、再生許可対象デバイス固有情報が登録された再生許可管理表と、購入許可対象デバイス固有情報が登録されたポータブルデバイス管理表とを備えたコンピュータを、
サーバから再生許可要求が送られてきたとき、前記再生許可管理表に登録されている再生許可対象デバイス固有情報の中に前記再生許可要求中の再生要求側デバイス固有情報と同一のデバイス固有情報が存在することを条件にして前記サーバに対して再生許可情報を送信する再生許可要求処理手段、
前記サーバからコンテンツ購入可否問い合わせが送られてきたとき、前記ポータブルデバイス管理表に登録されている購入許可対象デバイス固有情報の中に、前記コンテンツ購入可否問い合わせ中の購入要求側デバイス固有情報と同一のデバイス固有情報が存在していることを条件にして前記サーバに対してコンテンツ購入許可情報を送信すると共に、前記ポータブルデバイスのデバイス固有情報を含んだポータブルデバイス用ライセンスキーを前記サーバに対して送信するコンテンツ購入可否問い合わせ処理手段として機能させる。
【００２２】
〔作用〕
ライセンス対象デバイスとなるホストデバイスは、コンテンツ及び自ホストデバイスのデバイス固有情報であるホスト側デバイス固有情報を含んだ上記コンテンツに対するライセンスキーを管理すると共に、上記コンテンツの再生を許可する他のデバイスのデバイス固有情報である再生許可対象デバイス固有情報を管理している。
【００２３】
端末装置は、ホストデバイスで管理されているコンテンツを再生する場合、上記コンテンツとそのライセンスキーを自端末装置上にコピーし、その後、上記ライセンスキー中のホスト側デバイス固有情報と、自装置のデバイス固有情報である再生要求側デバイス固有情報とを含む再生許可要求をサーバへ送信する。
【００２４】
サーバは、ホストデバイスのデバイス固有情報であるホスト側デバイス固有情報とホストデバイスのアドレスとを対応付けて管理しており、端末装置から再生許可要求が送られてくると、上記管理しているアドレスの内の、上記再生許可要求に含まれているホスト側デバイス固有情報と対応するアドレスに再生許可要求を転送する。
【００２５】
ホストデバイスは、サーバから再生許可要求が送られてくると、管理している再生許可対象デバイス固有情報の中に、再生許可要求に含まれている再生要求側デバイス固有情報と同一のデバイス固有情報が存在することを条件にして、サーバに対して再生許可情報を返信し、サーバは、上記再生許可情報を端末装置へ転送する。
【００２６】
端末装置は、サーバから再生許可情報が送られてくると、コンテンツのコピーを再生する。
【発明の効果】
【００２７】
本発明によれば、ユーザに余り負担をかけることなく、ユーザが指定したデバイスであれば、ライセンス対象デバイス以外のデバイスでもコンテンツを再生することが可能になる。その理由は、端末装置が、ホストデバイスからコピーした再生対象コンテンツのライセンスキーに含まれているホスト側デバイス固有情報と、自装置のデバイス固有情報である再生要求側デバイス固有情報とを含む再生許可要求をサーバへ送信する構成を有し、サーバが、端末装置から再生許可要求が送られてきたとき、予め管理しているホストデバイスのデバイス固有情報であるホスト側デバイス固有情報とホストデバイスのアドレスとの対応関係と、上記再生許可要求中のホスト側デバイス固有情報とに基づいて、該当するホストデバイスへ再生許可要求を送信する構成を有しているからである。つまり、従来の技術では、ホストデバイスで管理しているコンテンツの再生を許可する全ての端末装置に、ユーザが、ホストデバイスのアドレスを設定する必要があったが、本発明では、そのような設定操作が不要となるので、ユーザの負担が低減する。
【発明を実施するための最良の形態】
【００２８】
次に本発明の実施の形態について図面を参照して詳細に説明する。
【００２９】
〔実施の形態の構成の説明〕
図１は本発明にかかるライセンス管理システムの実施の形態の構成例を示すブロック図である。同図を参照すると、本実施の形態は、コンテンツプロバイダが運用するコンテンツ配信サーバ１と、ユーザＵが所有する端末装置２，３と、ユーザＵが所有するポータブルデバイス４と、代理接続装置５とから構成され、コンテンツ配信サーバ１、端末装置２，３及び代理接続装置５は、インターネット等のネットワーク６を介して相互に接続されている。
【００３０】
端末装置２は、ユーザＵが所有しているコンテンツ及びライセンスキーを一元管理するホストデバイスとして機能する端末装置であり、パーソナルコンピュータ等のコンピュータによって実現される。また、端末装置２はライセンス対象デバイスとしても機能する。
【００３１】
図２は、端末装置２の構成例を示すブロック図であり、送受信手段２１と、制御手段２２と、記憶装置２３と、ＬＣＤ等の表示部２４と、キーボード等の入力部２５と、スピーカ２６と、ＣＤ−ＲＯＭドライバ２７と、コネクタ２８とを備えている。
【００３２】
記憶装置２３は、コンテンツ・ライセンスキー記憶部２３１と、再生許可管理表２３２と、ポータブルデバイス管理表２３３と、デバイス固有情報保持部２３４とを備えている。
【００３３】
コンテンツ・ライセンスキー記憶部２３１には、暗号化されたコンテンツ（再生するためにライセンスキーを必要とするコンテンツ）とそのライセンスキーが対応付けて登録される。但し、ライセンスキーを未入手のコンテンツの場合は、コンテンツのみが登録される。図３はコンテンツ・ライセンスキー記憶部２３１の内容例を示す図である。同図の例は、コンテンツ２３１１に対応付けてそのライセンスキー２３１２が登録されていること、及びコンテンツ２３１３はライセンスキーを未入手であることを示している。
【００３４】
コンテンツ２３１１，２３１３は、ネットワーク６経由またはＣＤ−ＲＯＭ等の物理メディア経由でコンテンツ・ライセンスキー記憶部２３１に格納される。コンテンツ２３１１，２３１３は、それ自体が有償で配布されてもよいし、無償で配布されてもよい。コンテンツ２３１１，２３１３が無償で配布される場合には、無制限に配布を許可することもできる。
【００３５】
ライセンスキー２３１２は、暗号化されているコンテンツ２３１１を復号するために必要となるキーであり、端末装置２のデバイス固有情報と、コンテンツ２３１１のコンテンツＩＤと、復号鍵とを含んでいる。
【００３６】
再生許可管理表２３２には、コンテンツの再生を許可する他のデバイスのデバイス固有情報（再生許可対象デバイス固有情報）と、そのデバイスにおいて再生を禁止するコンテンツのコンテンツＩＤとが対応付けて登録されている。図４は再生許可管理表２３２に内容例を示す図であり、コンテンツの再生を許可するデバイスの固有情報として、端末装置３のデバイス固有情報「Ｄ３」と、ポータブルデバイス４のデバイス固有情報「Ｄ４」とが登録されている。また、端末装置３において再生を禁止するコンテンツのコンテンツＩＤとして「ＩＤＸ」が登録されている。
【００３７】
ポータブルデバイス管理表２３３には、コンテンツ及びライセンスキーの購入を許可するポータブルデバイスのデバイス固有情報（購入許可対象デバイス固有情報）が登録される。本実施の形態では、ポータブルデバイス４のデバイス固有情報「Ｄ４」が登録される。
【００３８】
デバイス固有情報記憶部２３４には、端末装置２のデバイス固有情報「Ｄ２」が登録されている。なお、デバイス固有情報「Ｄ２」は、端末装置２を一意に識別できるものであれば、どのような情報であっても良いが、例えば、製品番号などを使用することができる。
【００３９】
送受信手段２１は、ネットワーク６を介してデータをやり取りする機能を有する。
【００４０】
制御手段２２は、再生手段２２１と、再生許可管理表管理手段２２２と、ポータブルデバイス管理表管理手段２２３と、コンテンツ購入可否問い合わせ処理手段２４４と、再生許可要求処理手段２２５と、コンテンツ登録手段２２６と、コピー手段２２７とを含んでいる。
【００４１】
再生手段２２１は、次のような機能を有する。
【００４２】
・ユーザＵによって再生指示されたコンテンツに対応するライセンスキーがコンテンツ・ライセンスキー記憶部２３１に登録されており、且つ、ライセンスキーに含まれているデバイス固有情報とデバイス固有情報保持部２３４に保持されているデバイス固有情報とが一致する場合、ライセンスキーを利用してコンテンツを復号し、表示部２４やスピーカ２６から出力する機能。
・ユーザＵによって再生指示されたコンテンツに対応するライセンスキーがコンテンツ・ライセンスキー記憶部２３１に登録されていない場合、自デバイスのデバイス固有情報および再生指示されたコンテンツのコンテンツＩＤを含むライセンスキー取得要求をコンテンツ配信サーバ１へ送信する機能。
・ライセンスキー取得要求に応答してコンテンツ配信サーバ１から返信されてきたライセンスキーを該当するコンテンツと対応付けてコンテンツ・ライセンスキー記憶部２３１に登録すると共に、このライセンスキーを利用してコンテンツを再生する機能。
・ユーザＵによって再生指示されたコンテンツに対応するライセンスキーがコンテンツ・ライセンスキー記憶部２３１に登録されているが、それに含まれているデバイス固有情報とデバイス固有情報保持部２３４に保持されているデバイス固有情報が異なるものである場合、再生不能などのエラー表示を行う機能。
【００４３】
再生許可管理表管理手段２２２は、ユーザＵが入力部２５から入力する指示に従って再生許可管理表２３２にコンテンツの再生を許可するデバイスのデバイス固有情報や、再生を禁止するコンテンツのコンテンツＩＤを登録する機能を有する。
【００４４】
ポータブルデバイス管理表管理手段２２３は、ユーザＵが入力部２５から入力する指示に従って、ポータブルデバイス管理表２３３にコンテンツ及びライセンスキーの購入を許可するポータブルデバイスのデバイス固有情報を登録する機能を有する。
【００４５】
コンテンツ購入可否問い合わせ処理手段２２４は、次のような機能を有する。
【００４６】
・コンテンツ配信サーバ１からコンテンツ購入可否問い合わせが送られてきたとき、それに含まれているデバイス固有情報（購入要求側デバイス固有情報）と同一のデバイス固有情報がポータブルデバイス管理表２３３に登録されている場合は、コンテンツ購入許可情報を返信し、登録されていない場合は、ライセンスキー購入不可情報を返信する機能。
・コンテンツ購入許可情報を返信した後、コンテンツ配信サーバ１から送られてきたコンテンツ及びライセンスキーをコンテンツ・ライセンスキー記憶部２３１に対応付けて登録する機能。
・コンテンツ配信サーバ１から送られてきたコンテンツのコンテンツＩＤと、そのコンテンツ用の復号鍵と、コンテンツ購入可否問い合わせに含まれていたデバイス固有情報を埋め込んだポータブルデバイス用ライセンスキーを作成し、コンテンツ配信サーバ１へ返信する機能。
【００４７】
再生許可要求処理手段２２５は、次のような機能を有する。
【００４８】
・コンテンツ配信サーバ１を介して端末装置３から再生許可要求が送られてきたとき、それに含まれているデバイス固有情報（再生要求側デバイス固有情報）と同一のデバイス固有情報が再生許可管理表２３２に登録されており、且つ、再生許可要求中のコンテンツＩＤが、上記デバイス固有情報と対応付けて再生許可管理情報に登録されていなければ（再生が禁止されていなければ）、再生許可情報を返信し、そうでなければ、再生不可情報を返信する機能。
・コネクタ２８に接続されたポータブルデバイス４から、そのデバイス固有情報および再生対象にするコンテンツのコンテンツＩＤを含む再生許可要求が送られてきたとき、それに含まれているデバイス固有情報と同一のデバイス固有情報が再生許可管理表２３２に登録され、且つ、再生許可要求中のコンテンツＩＤが、上記デバイス固有情報と対応付けて再生許可管理表２３２に登録されていなければ、コンテンツ・ライセンスキー記憶部２３１に上記コンテンツのライセンスキーが登録されていることを条件にして、ポータブルデバイス用ライセンスキーを作成し、ポータブルデバイス４へ送信する機能。
【００４９】
コンテンツ登録手段２２６は、ＣＤ−ＲＯＭドライバ２７で読み取ったコンテンツや、ネットワーク６を介してコンテンツ配信サーバ１から取得したコンテンツなどをコンテンツ・ライセンスキー記憶部２３１に登録する機能を有する。
【００５０】
コピー手段２２７は、コネクタ２８に接続されたポータブルデバイス４から送られてくるコピー要求に含まれているコンテンツＩＤのコンテンツを、コンテンツ・ライセンスキー記憶部２３１から取り出し、ポータブルデバイス４へ送信する機能を有する。
【００５１】
端末装置２は、前述したように、パーソナルコンピュータ等のコンピュータによって実現可能であり、コンピュータによって実現する場合には、例えば、次のようにする。コンピュータを端末装置２として機能させるためのプログラムを記録したディスク，半導体メモリ，その他の記録媒体を用意し、コンピュータに上記プログラムを読み取らせる。コンピュータは、読み取ったプログラムに従って自身の動作を制御することにより、自コンピュータ上に、送受信手段２１、再生手段２２１、再生許可管理表管理手段２２２、ポータブルデバイス管理表管理手段２２３、コンテンツ購入可否問い合わせ処理手段２２４、再生許可要求処理手段２２５、コンテンツ登録手段２６６、コピー手段２２７を実現する。
【００５２】
端末装置３は、端末装置２に保持されているコンテンツを再生することが、ユーザＵによって許可されている端末装置であり、パーソナルコンピュータ等のコンピュータによって実現される。
【００５３】
図５は、端末装置３の構成例を示すブロック図であり、送受信手段３１と、制御手段３２と、記憶装置３３と、ＬＣＤ等の表示部３４と、キーボード等の入力部３５と、スピーカ３６とを備えている。
【００５４】
記憶装置３３には、コンテンツ・ライセンスキー記憶部３３１と、デバイス固有情報記憶部３３２とが設けられている。
【００５５】
コンテンツ・ライセンスキー記憶部３３１には、端末装置２のコンテンツ・ライセンスキー記憶部２３１に登録されているコンテンツとライセンスキーのコピーが登録されている。
【００５６】
デバイス固有情報保持部３３２には、端末装置３のデバイス固有情報Ｄ３が登録されている。
【００５７】
送受信手段３１は、ネットワーク６を介してデータを送受信する機能を有する。
【００５８】
制御手段３２は、再生手段３２１と、コピー手段３２２とを備えている。
【００５９】
再生手段３２１は、次のような機能を有する。
【００６０】
・ユーザＵによって再生指示されたコンテンツに対応するライセンスキーがコンテンツ・ライセンスキー記憶部３３１に登録されており、且つ、ライセンスキーに含まれているデバイス固有情報とデバイス固有情報保持部３３２に保持されているデバイス固有情報とが一致する場合、ライセンスキーを利用してコンテンツを復号し、表示部３４やスピーカ３６から出力する機能。
・ユーザＵによって再生指示されたコンテンツに対応するライセンスキーがコンテンツ・ライセンスキー記憶部３３１に登録されていない場合、再生不能などのエラー表示を行う機能。
・ユーザＵによって再生指示されたコンテンツに対応するライセンスキーがコンテンツ・ライセンスキー記憶部３３１に登録されているが、それに含まれているデバイス固有情報とデバイス固有情報保持部３３２に保持されているデバイス固有情報が異なるものである場合、上記コンテンツのコンテンツＩＤ，ライセンスキー中のデバイス固有情報および自装置のデバイス固有情報を含んだ再生許可要求をコンテンツ配信サーバ１へ送信する機能。
・再生許可要求に応答して再生許可情報が送られてきた場合、コンテンツを再生する機能。
【００６１】
コピー手段３２２は、端末装置２のコンテンツ・ライセンスキー記憶部２３１に登録されているコンテンツとライセンスキーの対の内の、ユーザＵによって指定された対をコンテンツ・ライセンスキー記憶部３３１にコピーする機能を有する。
【００６２】
端末装置３は、前述したように、パーソナルコンピュータ等のコンピュータによって実現可能なものであり、コンピュータによって実現する場合は、例えば、次のようにする。コンピュータを端末装置３として機能させるためのプログラムを記録したディスク，半導体メモリ，その他の記録媒体を用意し、コンピュータに上記プログラムを読み取らせる。コンピュータは、読み取ったプログラムに従って自身の動作を制御することにより、自コンピュータ上に、送受信手段３１、再生手段３２１およびコピー手段３２２を実現する。
【００６３】
代理接続装置５は、ポータブルデバイス４をネットワーク６を介してコンテンツ配信サーバ１に接続する機能を有する装置であり、パーソナルコンピュータ等のコンピュータによって実現される。なお、代理接続装置５は、書店、レコード店、コンビニエンスストア、キオスクなど不特定多数の人が利用できる場所に設置される。
【００６４】
図６は代理接続装置５の構成例を示すブロック図であり、送受信手段５１と、入出力インタフェース部５２とを備えている。
【００６５】
入出力インタフェース部５２は、ポータブルデバイス４からのデータを送受信手段５１に渡し、送受信手段５１からのデータをポータブルデバイス４に渡す機能を有する。
【００６６】
送受信手段５１は、入出力インタフェース部５２を介してポータブルデバイス４から入力されたデータを、ネットワーク６を介してコンテンツ配信サーバ１へ送信し、コンテンツ配信サーバ１から送られてきたデータを入出力インタフェース部５２を介してポータブルデバイス４に出力する機能を有する。
【００６７】
なお、代理接続装置５は、前述したように、パーソナルコンピュータ等のコンピュータによって実現可能であり、コンピュータによって実現する場合は、例えば、次のようにする。コンピュータを代理接続装置５として機能させるためのプログラムを記録したディスク，半導体メモリ，その他の記録媒体を用意し、コンピュータに上記プログラムを読み取らせる。コンピュータは、読み取ったプログラムに従って自身の動作を制御することにより、自コンピュータ上に、送受信手段５１、入出力インタフェース部５２を実現する。
【００６８】
ポータブルデバイス４は、コンテンツの再生機能は有しているが、ネットワーク６への接続機能は有していないデバイスである。
【００６９】
図７はポータブルデバイス４の構成例を示すブロック図であり、入出力インタフェース部４１と、制御手段４２と、記憶装置４３と、ＬＣＤ等の表示部４４と、複数の操作ボタン等から構成される操作部４５と、スピーカ４６とを備えている。
【００７０】
記憶装置４３は、コンテンツ・ライセンスキー記憶部４３１と、ホストデバイス管理表４３２と、デバイス固有情報保持部４３３とを備えている。
【００７１】
コンテンツ・ライセンスキー記憶部４３１には、コンテンツとポータブルデバイス用ライセンスキーとの対が登録される。
【００７２】
ホストデバイス管理表４３２には、ユーザＵがホストデバイスとしている端末装置２のデバイス固有情報Ｄ２が登録されている。
【００７３】
デバイス固有情報保持部４３３には、ポータブルデバイス４のデバイス固有情報Ｄ４が登録されている。
【００７４】
入出力インタフェース部４１は、ポータブルデバイス４が代理接続装置５や端末装置２と接続されたとき、それらとデータをやり取りする機能を有する。
【００７５】
制御手段４２は、再生手段４２１と、ホストデバイス管理表管理手段４２２と、コンテンツ購入要求手段４２３と、コピー手段４２４とを備えている。
【００７６】
再生手段４２１は、次のような機能を有する。
【００７７】
・ユーザＵによって再生指示されたコンテンツに対応するライセンスキーがコンテンツ・ライセンスキー記憶部４３１に登録されており、且つ、ライセンスキーに含まれているデバイス固有情報とデバイス固有情報保持部４３３に保持されているデバイス固有情報とが一致する場合、ライセンスキーを利用してコンテンツを復号し、表示部４４やスピーカ４６から出力する機能。
・ユーザＵによって再生指示されたコンテンツに対応するライセンスキーがコンテンツ・ライセンスキー記憶部４３１に登録されていない場合、再生不能などのエラー表示を行う機能。
・ユーザＵによって再生指示されたコンテンツに対応するライセンスキーがコンテンツ・ライセンスキー記憶部４３１に登録されているが、それに含まれているデバイス固有情報とデバイス固有情報保持部４３３に保持されているデバイス固有情報が異なるものである場合、上記コンテンツのコンテンツＩＤおよび自装置のデバイス固有情報を含む再生許可要求を出力する機能。
・再生許可要求に応答してポータブルデバイス用ライセンスキーが送られてきた場合、それを該当するコンテンツに対応付けてコンテンツ・ライセンスキー記憶部４３１に保存すると共に、送られてきたポータブルデバイス用ライセンスキーを利用してコンテンツを再生する機能。
【００７８】
ホストデバイス管理表管理手段４２２は、ユーザＵが操作部４５から入力する指示に従って、ホストデバイスとする端末装置２のデバイス固有情報「Ｄ２」をホストデバイス管理表４３２に登録する機能を有する。
【００７９】
コンテンツ購入要求手段４２３は、ユーザＵが操作部４５から入力する指示に従ってコンテンツ購入要求を出力したり、このコンテンツ購入要求に応答して送られてきたコンテンツ，ポータブルデバイス用ライセンスキーをコンテンツ・ライセンスキー記憶部４３１に登録する機能を有する。
【００８０】
コピー手段４２４は、端末装置２のコンテンツ・ライセンスキー記憶部２３１に登録されているコンテンツとライセンスキーとの対をコンテンツ・ライセンスキー記憶部４３１上にコピーする機能を有する。
【００８１】
ポータブルデバイス４の入出力インタフェース部４１及び制御手段４２は、例えば、ＣＰＵ（コンピュータ）によって実現可能なものであり、コンピュータによって実現する場合は、例えば、次のようにする。コンピュータを、入出力インタフェース部４１および制御手段４２として機能させるためのプログラムを記録したディスク，半導体メモリ，その他の記録媒体を用意し、コンピュータに上記プログラムを読み取らせる。コンピュータは、読み取ったプログラムに従って自身の動作を制御することにより、自コンピュータ上に、入出力インタフェース部４１および制御手段４２を実現する。
【００８２】
コンテンツ配信サーバ１は、コンテンツプロバイダによって運用されているサーバであり、コンピュータによって実現される。
【００８３】
図８は、コンテンツ配信サーバ１の構成例を示すブロック図であり、送受信手段１１と、制御手段１２と、記憶装置１３とから構成されている。
【００８４】
記憶装置１３は、コンテンツ蓄積部１３１と、復号鍵記憶部１３２と、利用者情報記憶部１３３とを備えている。
【００８５】
コンテンツ蓄積部１３１には、コンテンツプロバイダが配信対象にしているコンテンツが蓄積されている。なお、上記コンテンツは、暗号化されている。
【００８６】
復号鍵記憶部１３２には、コンテンツ蓄積部１３１に蓄積されている各コンテンツそれぞれの復号鍵が登録されている。
【００８７】
利用者情報記憶部１３３には、ユーザのユーザＩＤ，氏名，住所などの個人情報と、ユーザがホストデバイスとしている端末装置のデバイス固有情報と、上記端末装置のアドレスと、課金情報とが登録されている。図９に利用者情報記憶部１３３の内容例を示す。同図の例は、個人情報Ｕ１のユーザは、デバイス固有情報が「Ｄ２」の端末をホストデバイスとしており、そのアドレスが「Ａ２」であること、および課金情報が「Ｋ１」であることを示している。
【００８８】
送受信手段１１は、ネットワーク６を介してデータをやり取りする機能を有する。
【００８９】
制御手段１２は、ライセンスキー取得要求処理手段１２１と、再生許可要求処理手段１２２と、コンテンツ購入要求処理手段１２３とを備えている。
【００９０】
ライセンスキー取得要求処理手段１２１は、端末装置２からコンテンツＩＤ及びデバイス固有情報を含むライセンスキー取得要求が送られてきたとき、上記コンテンツＩＤのコンテンツを再生するために必要になるライセンスキーを作成し、要求元に返却する機能を有する。
【００９１】
再生許可要求処理手段１２２は、次のような機能を有する。
【００９２】
端末装置３からそのデバイス固有情報、ホストデバイスとしている端末装置２のデバイス固有情報およびコンテンツＩＤを含む再生許可要求が送られてきたとき、この再生許可要求をホストデバイスとなる端末装置２に転送する機能や、この再生許可要求に応答して端末装置２から送られてきた再生許可情報あるいは再生不可情報を要求元の端末装置３へ返却する機能を有する。
【００９３】
コンテンツ購入要求処理手段１２３は、代理接続装置５を介してポータブルデバイス４から、購入対象にするコンテンツのコンテンツＩＤ、自デバイスのデバイス固有情報およびホストデバイスとしている端末装置２のデバイス固有情報を含むコンテンツ購入要求が送られてきたとき、端末装置２に対してコンテンツ購入可否問い合わせを行う機能や、このコンテンツ購入可否問い合わせに応答して端末装置２からコンテンツ購入許可情報が送られてきた場合、端末装置２に対してコンテンツ及びそれを再生するために必要になるライセンスキーを送信し、ポータブルデバイス４に対してコンテンツ及びそれを再生するために必要になるポータブルデバイス用ライセンスキーを送信する機能を有する。
【００９４】
コンテンツ配信サーバ１は、前述したように、コンピュータによって実現可能なものであり、コンピュータによって実現する場合は、例えば次のようにする。コンピュータをコンテンツ配信サーバ１として機能させるためのプログラムを記録したディスク，半導体メモリ，その他の記録媒体を用意し、コンテンツに上記プログラムを読み取らせる。コンピュータは、読み取ったプログラムに従って自身の動作を制御することにより、自コンピュータ上に、送受信手段１１、ライセンスキー取得要求処理手段１２１、再生許可要求処理手段１２２及びコンテンツ購入要求手段１２３を実現する。
【００９５】
〔実施の形態の動作の説明〕
次に、本実施の形態の動作について詳細に説明する。
【００９６】
〔再生許可管理表登録時の動作〕
端末装置２，３及びポータブルデバイス４を所有しているユーザＵは、端末装置２に格納されているコンテンツを、端末装置３やポータブルデバイス４を用いて再生する場合、それに先立って、端末装置２の再生許可管理表２３２に再生を許可するデバイスのデバイス固有情報及び再生を禁止するコンテンツのコンテンツＩＤを登録する必要がある。この場合、ユーザＵは、入力部２５を用いて再生許可管理表管理手段２２２を起動する。
【００９７】
再生許可管理表管理手段２２２は、起動されると、図１０のフローチャートに示すように、表示部２４に再生許可管理表登録画面２２２１を表示する（ステップＳ１０１）。
【００９８】
図１１に再生許可管理表登録画面２２２１の一例を示す。同図を参照すると、再生許可管理表登録画面２２２１には、デバイス固有情報の入力欄２２２２と、再生を禁止するコンテンツのコンテンツＩＤの入力欄２２２３と、決定ボタン２２２４と、終了ボタン２２２５とが設けられている。
【００９９】
ユーザＵは、再生許可管理表登録画面２２２１が表示されると、コンテンツの再生を許可する端末装置３のデバイス固有情報Ｄ３を入力欄２２２２に入力し、更に、再生を禁止するコンテンツのコンテンツＩＤ「ＩＤＸ」を入力欄２２２３に入力し、その後、決定ボタン２２２４を操作する（ステップＳ１０２，Ｓ１０３がＮＯ）。
【０１００】
これにより、再生許可管理表管理手段２２２は、図４に示すように、再生許可管理表２３２に、デバイス固有情報Ｄ３と、コンテンツＩＤ「ＩＤＸ」とを対応付けて登録する（ステップＳ１０４）。その後、再生許可管理表管理手段２２２は、再び、図１１に示す再生許可管理表登録画面２２２１を表示部２４に表示する（ステップＳ１０１）。
【０１０１】
これにより、ユーザＵは、コンテンツの再生を許可するポータブルデバイス４のデバイス固有情報Ｄ４を入力欄２２２２に入力し、その後、再生を禁止するコンテンツがないので、決定ボタンを２２２４を操作する（ステップＳ１０２，Ｓ１０３がＮＯ）。これにより、再生許可管理表管理手段２２２は、図４に示すように、再生許可管理表２３２に、ポータブルデバイス４のデバイス固有情報Ｄ４を登録した後（ステップＳ１０４）、再び、再生許可表登録画面２２２１を表示する（ステップＳ１０１）。
【０１０２】
ユーザＵは、必要な情報を全て登録したので、終了ボタン２２２５を操作する（ステップＳ１０２，ステップＳ１０３がＹＥＳ）。これにより、再生許可管理表管理手段２２２は処理を終了する。
【０１０３】
〔ポータブルデバイス管理表およびホストデバイス管理表登録時の動作〕
また、ユーザＵは、ポータブルデバイス４によりコンテンツを購入する場合、それに先立って、端末装置２のポータブルデバイス管理表２３３にコンテンツの購入を許可するポータブルデバイス４のデバイス固有情報Ｄ４を登録し、ポータブルデバイス４のホストデバイス管理表４３２にホストデバイスとする端末装置２のデバイス固有情報Ｄ２を登録する必要がある。
【０１０４】
端末装置２のポータブルデバイス管理表２３３に、ポータブルデバイス４のデバイス固有情報Ｄ４を登録する場合、ユーザＵは、入力部２５を用いてポータブルデバイス管理表管理手段２２３を起動する。これにより、ポータブルデバイス管理表管理手段２２３は、図１２のフローチャートに示すように、表示部２４にポータブルデバイス管理表登録画面を表示する（ステップＳ１２１）。このポータブルデバイス管理表登録画面には、ポータブルデバイスのデバイス固有情報の入力欄と、決定ボタンとが設けられており、ユーザＵは、入力欄にポータブルデバイス４のデバイス固有情報Ｄ４を入力した後、決定ボタンを操作する（ステップＳ１２２）。これにより、ポータブルデバイス管理表管理手段２２３は、入力欄に入力されたポータブルデバイス４のデバイス固有情報Ｄ４をポータブルデバイス管理表２３３に登録する（ステップＳ１２３）。
【０１０５】
ポータブルデバイス４のホストデバイス管理表４３２に、ホストデバイスとする端末装置２のデバイス固有情報Ｄ２を登録する場合、ユーザＵは、操作部４５を用いてホストデバイス管理表管理手段４２２を起動した後、図１３のフローチャートに示すように、操作部４５を用いて端末装置２のデバイス固有情報Ｄ２を入力する（ステップＳ１３１）。ホストデバイス管理表管理手段４２２は、操作部４５からデバイス固有情報Ｄ２が入力されると、それをホストデバイス管理表４３２に登録する（ステップＳ１３２）。
【０１０６】
〔端末装置（ホストデバイス）２でコンテンツを再生する場合の動作〕
次に、ユーザＵが、ホストデバイスである端末装置２でコンテンツを再生する場合の動作を説明する。この場合、ユーザＵは、入力部２５を用いて再生手段２２１を起動し、コンテンツ・ライセンスキー記憶部２３１に登録されているコンテンツの中から再生対象にするコンテンツを１つ選択する。
【０１０７】
これにより、再生手段２２１は、図１４のフローチャートに示すように、再生指示されたコンテンツに対応するライセンスキーがコンテンツ・ライセンスキー記憶部２３１に登録されているか調べる（ステップＳ１４１）。
【０１０８】
そして、登録されている場合（ステップＳ１４１がＹＥＳ）は、ライセンスキー中のデバイス固有情報と、デバイス固有情報保持部２３４に保持されているデバイス固有情報が一致するか否かを調べる（ステップＳ１４６）。一致している場合は、ライセンスキー中の復号鍵を利用してコンテンツを復号し、表示部２４やスピーカ２６に出力する（ステップＳ１４５）。一致していない場合は、再生不可などのエラーメッセージを表示する（ステップＳ１４７）。
【０１０９】
これに対して、再生指示されたコンテンツに対応するライセンスキーが登録されていない場合（ステップＳ１４１がＮＯ）は、ユーザＵに対してライセンスキーの取得を促すライセンスキー取得促進画面を表示部２４に表示する（ステップＳ１４２）。ライセンスキー取得促進画面には、ライセンスキーを取得するか否かの選択ボタンが設けられており、ユーザＵが、選択ボタンを用いてライセンスキーを取得しないことを選択した場合には、再生手段２２１は処理を終了する。これに対して、ライセンスキーを取得することを選択した場合には、再生手段２２１は、再生指示されたコンテンツのコンテンツＩＤおよびデバイス固有情報保持部２３４に保持されているデバイス固有情報Ｄ２を含んだライセンスキー取得要求をコンテンツ配信サーバ１へ送信する（図１４のステップＳ１４３、図１５のステップＳ１５１）。
【０１１０】
コンテンツ配信サーバ１内のライセンスキー取得要求処理手段１２１は、端末装置２からライセンスキー取得要求が送られてくると、先ず、利用者情報記憶部１３３に登録されているユーザＵの課金情報を更新する（図１５のステップＳ１５２，図１６のステップＳ１６１）。その後、ライセンスキー取得要求処理手段１２１は、要求元の端末装置２のデバイス固有情報Ｄ２、再生対象にしているコンテンツのコンテンツＩＤ及び上記コンテンツを復号するための復号鍵を埋め込んだライセンスキーを作成し（図１５のステップＳ１５３、図１６のステップＳ１６２）、要求元の端末装置２へ返信する（図１５のステップＳ１５４、図１６のステップＳ１６３）。
【０１１１】
端末装置２内の再生手段２２１は、ライセンスキーが返却されてくると、それを再生対象コンテンツに対応付けてコンテンツ・ライセンスキー記憶部２３１に登録し（図１４のステップＳ１４４、図１５のステップＳ１５５）、その後、上記ライセンスキーを使用して再生対象コンテンツを再生する（図１４のステップＳ１４５、図１５のステップＳ１５６）。
【０１１２】
〔端末装置３でコンテンツを再生する場合の動作〕
次に、ユーザＵが、端末装置３でコンテンツを再生する場合の動作について説明する。この場合、ユーザＵは、入力部３５を用いて再生手段３２１を起動し、コンテンツ・ライセンスキー記憶部３３１に登録されているコンテンツの中から再生対象にするコンテンツを１つ選択する。
【０１１３】
これにより、再生手段３２１は、図１７のフローチャートに示すように、再生指示されたコンテンツに対応するライセンスキーがコンテンツ・ライセンスキー記憶部３３１に登録されているか否かを調べる（ステップＳ１７１）。
【０１１４】
そして、登録されていない場合（ステップＳ１７１がＮＯ）は、再生不可などのエラーメッセージを表示した後（ステップＳ１７２）、処理を終了する。これに対して、再生対象コンテンツに対応するライセンスキーが登録されている場合（ステップＳ１７１がＹＥＳ）は、ライセンスキー中のデバイス固有情報とデバイス固有情報保持部３３２に保持されているデバイス固有情報Ｄ３が一致するか否かを調べる（ステップＳ１７３）。
【０１１５】
そして、両者が一致する場合（ステップＳ１７３がＹＥＳ）は、ライセンスキーを利用してコンテンツを再生する（ステップＳ１７４）。これに対して、不一致の場合（ステップＳ１７３がＮＯ）は、再生指示されたコンテンツのコンテンツＩＤ、ライセンスキー中のデバイス固有情報（ホスト側デバイス固有情報）およびデバイス固有情報保持部３３２に保持されている自装置のデバイス固有情報（再生要求側デバイス固有情報）を含んだ再生許可要求をコンテンツ配信サーバ１へ送信する（ステップＳ１７５、図１８のステップＳ１８１）。なお、再生対象コンテンツが、端末装置２からコピーしたものである場合、ライセンスキー中のデバイス固有情報は、端末装置２のデバイス固有情報Ｄ２となる。
【０１１６】
コンテンツ配信サーバ１内の再生許可要求処理手段１２２は、端末装置３からコンテンツＩＤ、ホストデバイスとなる端末装置２のデバイス固有情報Ｄ２および端末装置３のデバイス固有情報Ｄ３を含む再生許可要求が送られてくると、利用者情報記憶部１３３からデバイス固有情報Ｄ２に対応付けて登録されている端末装置２のアドレスを取得し、そのアドレスに従って端末装置２へ再生許可要求を転送する（図１８のステップＳ１８２、図１９のステップＳ１９１，Ｓ１９２）。
【０１１７】
端末装置２内の再生許可要求処理手段２２５は、コンテンツ配信サーバ１から再生許可要求が送られてくると、再生許可情報あるいは再生不可情報をコンテンツ配信サーバ１へ返信する（ステップＳ１８３）。このステップＳ１８３の処理を詳しく説明すると、再生許可要求処理手段２２５は、図２０のフローチャートに示すように、再生許可管理表２３２に、要求元のデバイス（この場合、端末装置３）のデバイス固有情報が登録されているか否かを調べ、登録されている場合には、更に上記デバイス固有情報に対応付けて再生許可要求に含まれているコンテンツＩＤと同一のコンテンツＩＤが登録されているか否かを調べる（ステップＳ２０２）。そして、デバイス固有情報が登録され、且つ、コンテンツＩＤが登録されていない場合（ステップＳ２０２がＹＥＳ）は、再生許可情報を返却し（ステップＳ２０３）、そうでない場合（ステップＳ２０２がＮＯ）は、再生不可情報を返却する（ステップＳ２０４）。
【０１１８】
コンテンツ配信サーバ１内の再生許可要求処理手段１２２は、端末装置２から送られてきた再生許可情報あるいは再生不可情報を要求元の端末装置３へ返却する（図１８のステップＳ１８４、図１９のステップＳ１９３）。
【０１１９】
端末装置３内の再生手段３２１は、再生許可情報が返信された場合は、ライセンスキーを用いて再生対象コンテンツを再生し（図１７のステップＳ１７６がＹＥＳ，Ｓ１７４、図１８のステップＳ１８５）、再生不可情報が返信された場合は、再生不可などのエラーメッセージを表示する（ステップＳ１７６がＮＯ，Ｓ１７７、図１８のステップＳ１８５）。
【０１２０】
〔ポータブルデバイス４でコンテンツを再生する場合の動作〕
次に、ユーザＵが、ポータブルデバイス４でコンテンツを再生する場合の動作について説明する。この場合、ユーザＵは、操作部４５を用いて再生手段４２１を起動し、コンテンツ・ライセンスキー記憶部４３１に登録されているコンテンツの中から再生対象にするコンテンツを１つ選択する。
【０１２１】
これにより、再生手段４２１は、図２１のフローチャートに示すように、再生指示されたコンテンツに対応するライセンスキーがコンテンツ・ライセンスキー記憶部４３１に登録されているか否かを調べる（ステップＳ２１１）。
【０１２２】
そして、登録されていない場合（ステップＳ２１１がＮＯ）は、再生不可などのエラーメッセージを表示部４４に表示した後（ステップＳ２１２）、処理を終了する。これに対して、再生対象コンテンツのライセンスキーが登録されている場合（ステップＳ２１１がＹＥＳ）は、ライセンスキー中のデバイス固有情報とデバイス固有情報保持部４３３に保持されているデバイス固有情報Ｄ４が一致するか否かを調べる（ステップＳ２１３）。
【０１２３】
そして、両者が一致する場合（ステップＳ２１３がＹＥＳ）は、ライセンスキーを利用してコンテンツを再生する（ステップＳ２１４）。これに対して両者が不一致の場合（ステップＳ２１３がＮＯ）は、ポータブルデバイス４がホストデバイスとなる端末装置２に接続されているか否かを調べる（ステップＳ２１５）。
【０１２４】
そして、端末装置２に接続されていない場合（ステップＳ２１５がＮＯ）は、「ホストデバイスに接続後、再度、再生操作を行って下さい。」などの接続指示メッセージを表示した後（ステップＳ２１６）、処理を終了する。
【０１２５】
これに対して、コネクタ２８を介して端末装置２に接続されている場合（ステップＳ２１５がＹＥＳ）は、再生対象コンテンツのコンテンツＩＤ及び自デバイス４のデバイス固有情報Ｄ４を含む再生許可要求を入出力インタフェース部４１を介して出力する（図２１のステップＳ２１７、図２２のステップＳ２２１）。
【０１２６】
端末装置２内の再生許可要求処理手段２２５は、ポータブルデバイス４から再生許可要求が送られてくると、ポータブルデバイス用ライセンスキー或いは再生不可情報を要求元のポータブルデバイス４へ返信する（図２２のステップＳ２２２）。この処理を詳しく説明すると、次のようになる。再生許可要求処理手段２２５は、ポータブルデバイス４から再生許可要求が送られてくると、図２３のフローチャートに示すように、再生許可管理表２３２に、要求元のデバイス固有情報Ｄ４が登録されているか否かを調べ、登録されている場合には上記デバイス固有情報Ｄ４と対応付けて再生許可要求中のコンテンツＩＤが登録されているか否かを調べる（ステップＳ２３１）。そして、デバイス固有情報Ｄ４が登録されていない場合、およびデバイス固有情報Ｄ４は登録されているが、それに対応付けて再生許可要求中のコンテンツＩＤが登録されている場合（ステップＳ２３２がＮＯ）は、再生不可情報をポータブルデバイス４に返却する（ステップＳ２３５）。そうでない場合（ステップＳ２３２がＹＥＳ）は、再生対象コンテンツのコンテンツＩＤ、ポータブルデバイス４のデバイス固有情報Ｄ４および再生対象コンテンツを復号するための復号鍵を埋め込んだポータブルデバイス用ライセンスキーを作成し、それをポータブルデバイス４に返却する（ステップＳ２３３，２３４）。なお、ポータブルデバイス用ライセンスキーの作成方法は、任意の方法を採用することができるが、例えば、図２４のフローチャートに示す方法を採用することができる。即ち、ステップＳ２４１において、コンテンツ・ライセンスキー記憶部２４１から再生対象コンテンツのライセンスキーを入力し、ステップＳ２４２において上記ライセンスキー中のデバイス固有情報Ｄ２を、ポータブルデバイス４のデバイス固有情報Ｄ４に置き換えることにより、ポータブルデバイス用ライセンスキーを作成する。
【０１２７】
ポータブルデバイス４内の再生手段４２１は、端末装置２から再生不可情報が送られてきた場合（図２１のステップＳ２１８がＮＯ）は、再生不可などのエラーメッセージを表示した後（ステップＳ２２０，図２２のステップＳ２２３）、処理を終了する。これに対して、ポータブルデバイス用ライセンスキーが送られてきた場合は、コンテンツ・ライセンスキー記憶部４３１に再生対象コンテンツと対になって登録されているライセンスキーを、今回送られてきたポータブルデバイス用ライセンスキーで置き換えた後（ステップＳ２１９）、上記ポータブルデバイス用ライセンスキーを使用して再生対象コンテンツを再生する（ステップＳ２１４，図２２のステップＳ２２３）。
【０１２８】
〔ポータブルデバイス４を利用してコンテンツを購入する場合の動作〕
次に、ユーザＵが、ポータブルデバイス４を利用して外出先でコンテンツを購入する場合の動作を説明する。
【０１２９】
外出先でポータブルデバイス４を利用してコンテンツを購入する場合、ユーザＵは、先ず、代理接続装置５の設置場所を探し、自身が携帯しているポータブルデバイス４と代理接続装置６とを接続する。その後、ユーザＵは、操作部４５を用いてコンテンツ購入要求手段４２３を起動し、購入対象コンテンツのコンテンツＩＤを入力する。これにより、コンテンツ購入要求手段４２３は、上記コンテンツＩＤと、ホストデバイス管理表４３２に登録されているホストデバイスとなる端末装置２のデバイス固有情報Ｄ２と、デバイス固有情報保持部４３３に保持されている自身のデバイス固有情報（購入要求側デバイス固有情報）Ｄ４とを含むコンテンツ購入要求を作成し、入出力インタフェース部４１を介して代理接続装置５に出力する（図２５のステップＳ２５０１）。
【０１３０】
代理接続装置５内の入出力インタフェース部５２は、ポータブルデバイス４からのコンテンツ購入要求を送受信手段５１に渡し、送受信手段５１は、コンテンツ購入要求を、ネットワーク６を介してコンテンツ配信サーバ１へ送信する（ステップＳ２５０２）。
【０１３１】
コンテンツ配信サーバ１内のコンテンツ購入要求処理手段１２３は、コンテンツ購入要求を受信すると、利用者情報記憶部１３３からデバイス固有情報Ｄ２に対応するアドレスＡ２を検索する。即ち、ホストデバイスとなる端末装置２のアドレスＡ２を検索する。その後、コンテンツ購入要求処理手段１２３は、ポータブルデバイス４のデバイス固有情報Ｄ４を含むコンテンツ購入可否問い合わせを作成し、アドレスＡ２に従って、端末装置２へ作成したコンテンツ購入可否問い合わせを送信する（ステップＳ２５０３）。
【０１３２】
端末装置２内のコンテンツ購入可否問い合わせ処理手段２２４は、ポータブルデバイス４のデバイス固有情報Ｄ４を含むコンテンツ購入可否問い合わせが送られてくると、コンテンツ購入許可情報あるいはコンテンツ購入不可情報をコンテンツ配信サーバ１に返却する（ステップＳ２５０４）。即ち、ポータブルデバイス管理表２３３に、コンテンツ購入可否問い合わせ中のデバイス固有情報Ｄ４が登録されている場合は、コンテンツ購入許可情報を返却し、登録されていない場合は、コンテンツ購入不可情報を返却する。
【０１３３】
コンテンツ購入不可情報が返却された場合、コンテンツ配信サーバ１内のコンテンツ購入要求処理手段１２３は、ネットワーク６および代理接続装置５を介してポータブルデバイス４にコンテンツ購入不可情報を送信し、ポータブルデバイス４内のコンテンツ購入要求手段４２３は、コンテンツ購入不可情報が送られてくると、表示部４４にコンテンツ購入不可などのメッセージを表示する。
【０１３４】
これに対して、コンテンツ購入許可情報が返却された場合は、コンテンツ配信サーバ１内のコンテンツ購入要求処理手段１２３は、ホストデバイスとなる端末装置２用のライセンスキーを作成し、作成したライセンスキーと、購入対象コンテンツとを端末装置２へ送信する（ステップＳ２５０５、Ｓ２５０６）。これにより、端末装置２内のコンテンツ購入可否問い合わせ処理手段２４４は、上記コンテンツとライセンスキーとを対応付けてコンテンツ・ライセンスキー記憶部２３１に登録する（ステップＳ２５０７）。
【０１３５】
また、コンテンツ配信サーバ１内のコンテンツ購入要求処理手段１２３は、ステップＳ２５０６の処理が終了すると、代理接続装置５を介してポータブルデバイス４へ購入対象コンテンツを送信する（ステップＳ２５０８，Ｓ２５０９）。これにより、ポータブルデバイス４内のコンテンツ購入要求手段４２３は、送られてきた購入対象コンテンツをコンテンツ・ライセンスキー記憶部４３１に登録する（ステップＳ２５１０）。
【０１３６】
一方、端末装置２内のコンテンツ購入可否問い合わせ処理手段２２４は、ステップＳ２５０７の処理が終了すると、購入対象コンテンツのコンテンツＩＤと、ポータブルデバイス４のデバイス固有情報Ｄ４と、購入対象コンテンツを復号するための復号鍵とを埋め込んだポータブル用ライセンスキーを作成し（ステップＳ２５１１）、それをコンテンツ配信サーバ１へ送信する（ステップＳ２５１２）。
【０１３７】
コンテンツ配信サーバ１内のコンテンツ購入要求処理手段１２３は、端末装置２から送られてきたポータブルデバイス用ライセンスキーを、ネットワーク６および代理接続装置５を介してポータブルデバイス４へ送信する（ステップＳ２５１３，Ｓ２５１４）。
【０１３８】
ポータブルデバイス４内のコンテンツ購入要求手段４２３は、代理接続装置５からポータブルデバイス用ライセンスキーが送られてくると、ステップＳ２５１０で保存した購入対象コンテンツンと対応付けて、上記ポータブルデバイス用ライセンスキーを登録する（ステップＳ２５１５）。この後、ポータブルデバイス４において、ユーザＵが、上記購入対象コンテンツの再生を指示した場合には、図２１のステップＳ２１３の判断結果がＹＥＳとなるので、上記購入対象コンテンツを再生することが可能になる。
【０１３９】
〔実施の形態の効果〕
本実施の形態によれば、ユーザに余り負担をかけることなく、ユーザが指定したデバイスであれば、ライセンス対象デバイス以外のデバイスでもコンテンツを再生することが可能になる。その理由は、端末装置３が、ホストデバイス２からコピーした再生対象コンテンツのライセンスキーに含まれているホスト側デバイス固有情報と、自装置３のデバイス固有情報である再生要求側デバイス固有情報とを含む再生許可要求をコンテンツ配信サーバ１へ送信する構成を有し、コンテンツ配信サーバ１が、端末装置３から再生許可要求が送られてきたとき、予め管理しているホストデバイス２のデバイス固有情報であるホスト側デバイス固有情報とホストデバイス２のアドレスとの対応関係と、上記再生許可要求中のホスト側デバイス固有情報とに基づいて、該当するホストデバイス２へ再生許可要求を送信する構成を有しているからである。つまり、従来の技術では、ホストデバイスで管理しているコンテンツの再生を許可する全ての端末装置に、ユーザが、ホストデバイスのアドレスを設定する必要があったが、本実施の形態では、そのような設定操作が不要となるので、ユーザの負担が低減する。
【０１４０】
また、本実施の形態によれば、コンテンツ配信サーバ１との通信機能を備えていないポータブルデバイス４を用いて外出先等でコンテンツを購入することが可能になると共に、ポータブルデバイス４により購入したコンテンツおよびそのライセンスキーをホストデバイス２で管理することが可能になる。その理由は、ネットワークを介してポータブルデバイス４とコンテンツ配信サーバ１とを接続する代理接続装置５を備え、且つ、コンテンツ配信サーバ１が、ポータブルデバイス４によって購入要求されたコンテンツをホストデバイスとして機能する端末装置２およびポータブルデバイス４へ送信し、上記コンテンツにライセンスキー及びポータブルデバイス用ライセンスキーをそれぞれ端末装置２及びポータブルデバイス４へ送信する構成を有しているからである。
【産業上の利用可能性】
【０１４１】
本発明は、デジタルコンテンツ販売に適用すると好適である。
【図面の簡単な説明】
【０１４２】
【図１】本発明にかかるライセンス管理システムの実施の形態の構成例を示すブロック図である。
【図２】ホストデバイスとなる端末装置２の構成例を示すブロック図である。
【図３】コンテンツ・ライセンスキー記憶部２３１の内容例を示す図である。
【図４】再生許可管理表２３２の内容例を示す図である。
【図５】端末装置３の構成例を示すブロック図である。
【図６】代理接続装置５の構成例を示すブロック図である。
【図７】ポータブルデバイス４の構成例を示すブロック図である。
【図８】コンテンツ配信サーバ１の構成例を示すブロック図である。
【図９】利用者情報記憶部１３３の内容例を示す図である。
【図１０】再生許可管理表管理手段２２２の処理例を示すフローチャートである。
【図１１】再生許可管理表登録画面２２２１の一例を示す図である。
【図１２】ポータブルデバイス管理表管理手段２２３の処理例を示すフローチャートである。
【図１３】ホストデバイス管理表管理手段４２２の処理例を示すフローチャートである。
【図１４】再生手段２２１の処理例を示すフローチャートである。
【図１５】ライセンスキー取得時の動作を説明するための図である。
【図１６】ライセンスキー取得要求処理手段１２１の処理例を示すフローチャートである。
【図１７】再生手段３２１の処理例を示すフローチャートである。
【図１８】端末装置３が端末装置２で管理されているコンテンツを再生する際の動作を説明するための図である。
【図１９】再生許可要求処理手段１２２の処理例を示すフローチャートである。
【図２０】再生許可要求処理手段２２５の処理例を示すフローチャートである。
【図２１】再生手段４２１の処理例を示すフローチャートである。
【図２２】ポータブルデバイス４が端末装置２で管理されているコンテンツを再生する際の動作を説明するための図である。
【図２３】再生許可要求処理手段２２５の処理例を示すフローチャートである。
【図２４】ポータブルデバイス用ライセンスキーの作成方法の一例を示すフローチャートである。
【図２５】ポータブルデバイス４を利用してコンテンツを購入する際の動作を説明するための図である。
【図２６】従来の技術を説明するためのブロック図である。
【符号の説明】
【０１４３】
１…コンテンツ配信サーバ
１１…送受信手段
１２…制御手段
１２１…ライセンスキー取得要求処理手段
１２２…再生許可要求処理手段
１２３…コンテンツ購入要求処理手段
１３…記憶装置
１３１…コンテンツ蓄積部
１３２…復号鍵記憶部
１３３…利用者情報記憶部
２…端末装置（ホストデバイス）
２１…送受信手段
２２…制御手段
２２１…再生手段
２２２…再生許可管理表管理手段
２２３…ポータブルデバイス管理表管理手段
２２４…コンテンツ購入可否問い合わせ処理手段
２２５…再生許可要求処理手段
２２６…コンテンツ登録手段
２２７…コピー手段
２３…記憶装置
２３１…コンテンツ・ライセンスキー記憶部
２３２…再生許可管理表
２３３…ポータブルデバイス管理表
２３４…デバイス固有情報保持部
２４…表示部
２５…入力部
２６…スピーカ
２７…ＣＤ−ＲＯＭドライバ
２８…コネクタ
３…端末装置
３１…送受信手段
３２…制御手段
３２１…再生手段
３２２…コピー手段
３３…記憶装置
３３１…コンテンツ・ライセンスキー記憶部
３３２…デバイス固有情報保持部
３４…表示部
３５…入力部
３６…スピーカ
４…ポータブルデバイス
４１…入出力インタフェース部
４２…制御手段
４２１…再生手段
４２２…ホストデバイス管理表管理手段
４２３…コンテンツ購入要求手段
４２４…コピー手段
４３…記憶装置
４３１…コンテンツ・ライセンスキー記憶部
４３２…ホストデバイス管理表
４３３…デバイス固有情報保持部
４４…表示部
４５…操作部
４６…スピーカ
５…代理接続装置
５１…送受信手段
５２…入出力インタフェース部
６…ネットワーク
【図１】
0004432844.tif 000002
【図２】
0004432844.tif 000003
【図３】
0004432844.tif 000004
【図４】
0004432844.tif 000005
【図５】
0004432844.tif 000006
【図６】
0004432844.tif 000007
【図７】
0004432844.tif 000008
【図８】
0004432844.tif 000009
【図９】
0004432844.tif 000010
【図１０】
0004432844.tif 000011
【図１１】
0004432844.tif 000012
【図１２】
0004432844.tif 000013
【図１３】
0004432844.tif 000014
【図１４】
0004432844.tif 000015
【図１５】
0004432844.tif 000016
【図１６】
0004432844.tif 000017
【図１７】
0004432844.tif 000018
【図１８】
0004432844.tif 000019
【図１９】
0004432844.tif 000020
【図２０】
0004432844.tif 000021
【図２１】
0004432844.tif 000022
【図２２】
0004432844.tif 000023
【図２３】
0004432844.tif 000024
【図２４】
0004432844.tif 000025
【図２５】
0004432844.tif 000026
【図２６】
0004432844.tif 000027